(57)【要約】【課題】表示作業を行うアプリケーションを変更したとき、作業者の正面に作業画面が来るようにし、作業者が表示画面を移動する必要のないようにする。【解決手段】画像の検出条件が満たされたとき、マウスの位置が仮想的な１枚のページ５の上の何処にあるかが検出される（処理１）。次に、位置検出結果から、第２サブ表示装置８の上にマウスが存在していることを判断する（処理２）。そして、判断された作業画面がメイン表示装置６ではない場合は、第２サブ表示装置８の画面内容とメイン表示装置６の画面内容とを交換して、それぞれの表示装置に表示させる。つまり、第２サブ表示装置８の画面内容をメイン表示装置６に変換し、メイン表示装置６の画面内容を第２サブ表示装置８に変換する（処理３）。これにより、常にマウスの示す作業領域を正面にすることができ、画像表示の作業効率が一段と改善される。【選択図】　　　　図３
2004029046.tif 000002
【特許請求の範囲】
【請求項１】
所定のフォーマットを有する画像信号発生装置に複数台の画像表示装置を接続して該画像表示装置の表示制御を行うマルチディスプレイ制御システムにおいて、
ポインティングデバイスの位置を検出するポインティングデバイス検出手段と、
前記ポインティングデバイス検出手段の位置検出結果によって作業を行っている画面を認識する作業領域判断手段と、
画面上における一面の配置を自動または手動で切替える画面制御手段と
を備えることを特徴とするマルチディスプレイ制御システム。
【請求項２】
所定のフォーマットを有する画像信号発生装置に複数台の画像表示装置を接続して該画像表示装置の表示制御を行うマルチディスプレイ制御システムにおいて、
作業者の操作可能なアクティブウインドウの位置を検出するアクティブウインドウ検出手段と、
前記アクティブウインドウ検出手段の位置検出結果によって作業を行っている画面を認識する作業領域判断手段と、
画面上における一面の配置を自動または手動で切替える画面制御手段と
を備えることを特徴とするマルチディスプレイ制御システム。
【請求項３】
さらに、画面上における全表示領域を仮想的な１ページで構成し、前記全表示領域の中で作業者が作業を行っている作業領域を作業者の正面に自動または手動で配置する作業領域配置手段を備えることを特徴とする請求項１または請求項２に記載のマルチディスプレイ制御システム。
【請求項４】
前記全表示領域はリング状のページで構成されることを特徴とする請求項３に記載のマルチディスプレイ制御システム。
【請求項５】
表示解像度の異なる表示装置を組合せたとき、常に最大の解像度を有する表示装置で主要な作業を行えるように表示装置を選択する表示装置選択手段を備えることを特徴とする請求項１〜請求項４の何れかに記載のマルチディスプレイ制御システム。
【発明の詳細な説明】
【０００１】
【発明の属する技術分野】
本発明は、画像信号発生装置および画像表示装置を制御するためのマルチディスプレイ制御システムに関するものであり、より詳しくはパーソナルコンピュータやワークステーションなどで使われる所定のフォーマットを有する画像信号発生装置と、液晶パネル、ＣＲＴ、プラズマディスプレイ（ＰＤＰ）などの表示デバイスを含んで構成される画像表示装置を制御すると共に、前記画像信号発生装置に複数台の前記画像表示装置を接続したときに画像の表示制御を行うマルチディスプレイ制御システムに関するものである。
【０００２】
【従来の技術】
例えば、特開２００１−６７０５５号公報などにおいて、複数のディスプレイにそれぞれ入力された信号を互いに切り替えて画像を表示することができる画像表示装置が開示されている。図９は、特開２００１−６７０５５号公報に開示されている画像表示装置において表示制御を行うマルチディスプレイ制御システムの構成図である。同図において、二入力タイプのディスプレイ装置１０と二入力タイプのディスプレイ装置２０は、相互に信号線３０によって接続されている。
【０００３】
二入力タイプのディスプレイ装置１０のコネクタ１１に信号Ａを入力し、同じく二入力タイプのディスプレイ装置２０のコネクタ２２に信号Ｄを入力する。さらに、使用していないコネクタ１２およびコネクタ２１は互いに接続されている。ディスプレイ装置１０において、ユーザが切替スイッチ１６を操作してコネクタ１１を選択すると、セレクタ１４はコネクタ１１をディスプレイ１５に接続する。これによって、ディスプレイ１５は信号Ａに対応する画像を表示する。また、ユーザが切替スイッチ１６でコネクタ１２を選択すると、セレクタ１４はコネクタ１２とディスプレイ１５とを接続する。さらに、その選択信号はコネクタ１２とコネクタ２１を経由してセレクタ２３を操作する。これによって、セレクタ２３はコネクタ２２とコネクタ２１とを接続する。このとき、すでにコネクタ１２とコネクタ２１は接続されているので、結果としてディスプレイ１５はコネクタ２２に入力された信号Ｄに対応する画像を表示することができる。ディスプレイ装置２０においても切替スイッチ２６を操作することにより、上記と同様の動作を行うことができる。これによって、それぞれのディスプレイ装置１０，２０に入力された信号を相互に切り替えて表示することができるので、顧客対応やプレゼンテーション等に対して極めて有効な情報提供を行うことができる。
【０００４】
また、特開２０００−３５２９６２号公報には、画像表示装置を判別するためのインデックス画像信号を用い、インデックスを判別することによって画像を表示すべきフレームを選択する技術が開示されている。この技術によれば、画像表示装置の台数が増えても、画像信号を発生させるための画像信号発生手段や接続ケーブが増えることはない。図１０は、特開２０００−３５２９６２号公報に開示されたインデックス方式のマルチディスプレイシステムの構成図である。図１０において、パーソナルコンピュータやワークステーションなどで使われる所定のフォーマットを有する画像信号発生装置３１には、液晶パネル、ＣＲＴ、プラズマディスプレイ（ＰＤＰ）などの表示デバイスを含んで構成される複数の画像表示装置３２が接続されている。なお、それぞれの画像表示装置３２は異なる画像表示装置番号３１，３２…３ｎが割り振られている。
【０００５】
画像信号発生装置３１は、画像表示装置３２の有する液晶パネル等の画像表示部に実際に表示される正味の画像信号、この正味の画像信号に対応する同一信号、および正味の画像信号の一部を置き換えて付加された送出インデックス信号を複合化信号として出力する。画像信号発生装置３１から出力された複合化信号は、複数台接続された画像表示装置３２に並列に送出される。複数の画像表示装置３２は、あらかじめ各々に割り振られている画像表示装置番号と送出インデックス信号とを比較照合し、適合した正味の画像信号のみを該当する画像表示装置３２の画像表示部に表示させる。これによって、画像信号発生手段や接続ケーブルを増やすことなく、任意の画像表示装置に任意の画像を表示させることができる。
【０００６】
【発明が解決しようとする課題】
ところで、最近ではウィンドウズ（登録商標）などのオペレーティングシステム（ＯＳ）が画像表示をサポートしているので、マルチディスプレイの用途はかなり広がってきている。しかしながら、前述で述べたような従来のマルチディスプレイでは、仮想的な１枚のページとして画像表示の処理を行っても、実際にアプリケーションが表示される画像は、それぞれ異なる表示装置に個別に表示されることになる。
【０００７】
図１は、仮想的な１枚のページの画像が複数の画像表示装置に個別に表示される状態を示す従来のマルチディスプレイシステムの動作を示す概念図である。図１に示すように、パソコンの内部では仮想的な１枚のページ５として処理されたとしても、実際にアプリケーションが表示されるディスプレイは固定的になっていて、複数のアプリケーションを複数の画像表示装置３２の画面に表示して作業を行うため、使用するアプリケーションが変わるたびに使用するディスプレイ（つまり、画像表示装置３２）が変わってしまう。このため、使用するアプリケーションによっては正面の画像表示装置３２に作業領域が表示されないために、作業者がそれぞれの画像表示装置３２の前に移動する必要が生じてくる。また、特開２００１−６７０５５号公報に開示された画像表示装置のマルチディスプレイの制御システムでは、ディスプレイの切り替えにはユーザのスイッチ操作が必要であり、かつ３台以上のディスプレイを使用する際には、１台のディスプレイに全数分のコネクタを設ける必要があり、接続ケーブルが増えると共にマルチディスプレイの制御システムも複雑になる。
【０００８】
本発明は、上述の課題に鑑みてなされたもので、その目的とするところは、マルチディスプレイを使用している状態で、作業を行うアプリケーションを変更した場合でも作業者の正面に作業画面が来るようにし、作業者が表示画面を移動する必要をなくして画面表示の作業効率を改善したマルチディスプレイ制御システムを提供することにある。
【０００９】
【課題を解決するための手段】
上記の目的を達成するため、本発明のマルチディスプレイ制御システムは、所定のフォーマットを有する画像信号発生装置に複数台の画像表示装置を接続して画像表示装置の表示制御を行うマルチディスプレイ制御システムにおいて、ポインティングデバイスの位置を検出するポインティングデバイス検出手段と、ポインティングデバイス検出手段の位置検出結果よって作業を行っている画面を認識する作業領域判断手段と、画面上における一面の配置を自動または手動で切り替える画面制御手段とを備えることを特徴とする。
【００１０】
また、本発明のマルチディスプレイ制御システムは、所定のフォーマットを有する画像信号発生装置に複数台の画像表示装置を接続して該画像表示装置の表示制御を行うマルチディスプレイ制御システムにおいて、作業者の操作可能なアクティブウインドウの位置を検出するアクティブウインドウ検出手段と、アクティブウインドウ検出手段の位置検出結果よって作業を行っている画面を認識する作業領域判断手段と、画面上における一面の配置を自動または手動で切り替える画面制御手段とを備えることを特徴とする。
【００１１】
また、本発明のマルチディスプレイ制御システムは、さらに、画面上における全表示領域を仮想的な１ページで構成し、全表示領域の中で作業者が作業を行っている作業領域を作業者の正面に自動または手動で配置する作業領域配置手段を備えることを特徴とする。
【００１２】
また、本発明のマルチディスプレイ制御システムは、全表示領域がリング状のページで構成されることを特徴とする。
【００１３】
また、本発明のマルチディスプレイ制御システムは、表示解像度の異なる表示装置を組合せたとき、常に最大の解像度を有する表示装置で主要な作業を行えるように表示装置を選択する表示装置選択手段を備えることを特徴とする。
【００１４】
【発明の実施の形態】
以下、図面を用いて、本発明におけるマルチディスプレイ制御システムの実施の形態の幾つかを詳細に説明する。本発明におけるマルチディスプレイ制御システムは、マルチディスプレイを使用している状態で、作業を行うアプリケーションを変更しても、常に作業者の正面に作業画面が来るようにしたことを特徴している。これによって、アプリケーションが変更されても作業者は表示画面を移動する必要がなくなる。
【００１５】
実施の形態１
図２は、本発明の実施の形態１におけるマルチディスプレイ制御システムの構成を示すブロック図である。図２において、マルチディスプレイ制御システムは、マウスやタッチパッドやトラックボールなどのポインティングデバイスの位置を検出するポインティングデバイス検出手段１と、ポインティングデバイス検出手段１の位置検出結果から、ユーザが作業を行っている作業領域を判断する作業領域判断手段２と、作業領域判断手段２で判断された作業領域が作業者の正面にくるように画面の位置を自動または手動で切り替える画面制御手段３とによって構成されている。
【００１６】
図３は、本発明の実施の形態１におけるマルチディスプレイ制御システムの表示制御方法を示す概念図である。図３においては、３台の画像表示装置で構成されるマルチディスプレイ制御システムにおける画像表示の処理の流れを示している。作業者はメイン表示装置６を正面に、第１サブ表示装置７および第２サブ表示装置８をそれぞれ左右に配置して作業を行う。以下、図２および図３を用いて画像表示の処理の流れを説明する。
【００１７】
あらかじめ、作業者は、図２のポインティングデバイス検出手段１の起動時における画像の検出条件を自動または手動の何れかに選択しておく。画像の検出条件が自動の場合は画像の検出を常時行い、画像の検出条件が手動の場合は、マウスのクリックやドラッグの操作時、またはキーボードの特定キーの押下時などのイベント発生時に画像の検出を行う。画像の検出条件が満たされたとき、ポインティングデバイス検出手段１は、マウスなどポインティングデバイスの位置が仮想的な１枚のページ５の上の何処にあるかを検出する（処理１）。
【００１８】
次に、作業領域判断手段２は、ポインティングデバイス検出手段１の位置検出結果から、どの画像表示装置上にマウスの位置が存在するかを判断する。なお、図３の例ではマウスが第２サブ表示装置８の上にあることを示している（処理２）。画面制御手段３は、作業領域判断手段２で判断された作業画面がメイン表示装置６ではない場合は、当該するサブ表示装置（図３の例では第２サブ表示装置８）の画面内容とメイン表示装置６の画面内容とを交換して、それぞれの画像表示装置に表示させる。つまり、第２サブ表示装置８の画面内容をメイン表示装置６に変換し、メイン表示装置６の画面内容を第２サブ表示装置８に変換する（処理３）。
【００１９】
画面制御手段３が画像表示装置間の画面内容を交換する処理は、例えば、従来技術で述べた特開２０００−３５２９６２号公報におけるインデックス方式のマルチディスプレイシステムを応用すれば、送出インデックス信号の書換えのみで容易に実現することができる。つまり、画像信号発生装置において、複数のページを有する画像信号の所定の位置に画像表示装置を判別するためのインデックス信号の一部を置き換えて付加し、画像表示装置においてインデックス信号を判別して画像を表示すべき画像表示装置を選択すれば、画像表示装置間の画面内容を容易に交換することができる。
【００２０】
以上のようにして画像表示の処理を行うと、マルチディスプレイを使用して複数のアプリケーションを異なった画面で使用している場合に、従来なら使用するアプリケーションの変更に伴い作業傾城を別の画像表示装置に移動する必要があったが、本発明のマルチディスプレイ制御システムにより、常にマウスなどポインティングデバイスの示す作業領域を正面にすることができ、作業者が画像表示装置を移動することが少なくなり、画像表示の作業効率を改善することができる。
【００２１】
実施の形態２
図４は、本発明の実施の形態２におけるマルチディスプレイ制御システムの構成を示すブロック図である。図４において、マルチディスプレイ制御システムは、作業者の操作可能なアクティブウインドウの位置を検出するアクティブウィンドウ検出手段４と、アクティブウインドウ検出手段４の位置検出結果から、ユーザが作業を行っている作業領域を判断する作業領域判断手段２’と、作業領域判断手段２’で判断された作業領域が作業者の正面にくるように画面の位置を自動または手動で切り替える画面制御手段３とによって構成されている。
【００２２】
通常のウィンドウズ（登録商標）では、アクティブウインドウすなわち作業者の操作可能なウインドウはただ一つであり、ウインドウズ（登録商標）上をマウスでクリックしたり、メニューバー上のタイトルをクリックしたりすることにより、アクティブウインドウの指定を行うことができる。ここで作業者が何をアクティブウィンドウの位置をするかについて、あらかじめウィンドウの原点座標（通常はウィンドウの左上の座標）、ウィンドウの中心座標、カーソル位置、およびウィンドウが複数の作業領域に跨る場合の最大面積を有する作業領域内におけるウィンドウの中心座標などの中から選択できるようにしておくと、ウィンドウが複数の作業領域に跨る場合にもウィンドウの位置を一意に指定することができる。
【００２３】
図４において、アクティブウインドウ検出手段４は、アクティブウインドウの原点座標やカーソルの座標などをアクティブウィンドウの位置として、その位置が図３に示す仮想的な１枚のページ５上で何処にあるのか検出する（処理１）。以後の処理は実施の形態１の場合の図３と同様に、作業領域判断手段２’は、アクティブウインドウ検出手段４の位置検出結果から、どの画像表示装置上にマウスの位置が存在するか判断する（処理２）。画面制御手段３は、作業領域判断手段２’で判断された作業画面がメイン表示装置６ではない場合は、該当するサブ表示装置（つまり、図３の例では第２サブ表示装置８）の画面内容とメイン表示装置６の画面内容とを交換して、それぞれの画像表示装置に表示させる。つまり、第２サブ表示装置８の画面内容をメイン表示装置６に変換し、メイン表示装置６の画面内容を第２サブ表示装置８に変換する（処理３）。
【００２４】
以上のようにして画像表示の処理を行うと、より具体的に作業中の画像表示領域を検出することができ、アクティブウィンドウが切り替わるとそのウィンドウを正面のメイン表示装置に表示させることができる。
【００２５】
実施の形態３
図５は、本発明の実施の形態１におけるマルチディスプレイ制御システムの表示制御方法を示す概念図である。図５に示すように、画面制御手段３によって、仮想的な１枚のページ５の領域は、第１表示領域５ａ、第２表示領域５ｂ、および第３表示領域５ｃに分離される。第３表示領域５ｃにマウスポインタがあるとき、メイン表示装置６には第３表示領域５ｃが表示され、第２サブ表示装置８には第２表示領域５ｂが表示される。なお、第１サブ表示装置７にはそのまま第１表示領域５ａが表示される。
【００２６】
そして、マウスを左右に移動させると、実際の表示装置はメイン表示装置６を正面にして左右に第１サブ表示装置７と第２サブ表示装置８が配置されているにもかかわらず、メイン表示装置６の右端すなわち仮想的な１枚のページ５の右端まで動かすとマウスはそれ以上動かなくなる。また、メイン表示装置６の左端を越えて第１サブ表示装置７にマウスを動かすと、作業者には第１表示領域５ａにマウスが移動したように感じられるが、仮想的な１枚のページ５上では第２表示領域５ｂに移動したことになり、メイン表示装置６には第２表示領域５ｂが表示され、第２サブ表示装置８には第３表示領域５ｃが表示される。このことは表示領域を３以上に分割したときも同様である。
【００２７】
図６は、本発明の実施の形態３におけるマルチディスプレイ制御システムの仮想的なページ構成を示すリング状のページ構成図である。ページ構成を図６のようなリング状の構成にすると、第３表示領域５ｃの右端と第１表示領域５ａの左端が続き、第１表示領域５ａの右端と第２表示領域５ｂの左端が続いた構成となる。
【００２８】
図７は、本発明の実施の形態３におけるマルチディスプレイ制御システムの動作を示す概念図であり、（ａ）はマウスが第１表示領域にあるとき、（ｂ）はマウスが第２表示領域にあるとき、（ｃ）はマウスが第３表示領域にあるときの状態を示している。図６に示すようなリング状のページ構成の場合は、図７（ａ）に示すように第１表示領域５ａにマウスポインタがあるときには第１表示領域５ａをメイン表示装置６に表示させ、第３表示領域５ｃを第１サブ表示装置７に表示させ、第２表示領域５ｂを第２サブ表示装置８に表示させる。同様にして、図７（ｂ）に示すように、第２表示領域５ｂにマウスポインタがあるときには第２表示領域５ｂをメイン表示装置６に表示させ、第１表示領域５ａを第１サブ表示装置７に表示させ、第３表示領域５ｃを第２サブ表示装置８に表示させる。
【００２９】
図７（ｃ）に示すように、第３表示領域５ｃにマウスポインタがあるときには、第３表示領域５ｃをメイン表示装置６に表示させ、第２表示領域５ｂを第１サブ表示装置７に表示させ、第１表示領域５ａを第２サブ表示装置８にそれぞれ表示させる。なお、上下方向にマルチディスプレイシステムを構築している場合についても、同様に、上下方向にリング状にページを構成する。
【００３０】
実施の形態３のマルチディスプレイ制御システムによれば、常に正面のメイン表示装置６から左側の第１サブ表示装置７へマウスを移動させたときには、それまで第１サブ表示装置７に表示していた第１表示領域をメイン表示装置６に、また、右側の第２サブ表示装置８にマウスが移動したときには、それまで第２サブ表示装置８に表示していた表示領域をメイン表示装置６に表示させることができる。このように、マウスなどポインティングデバイスの移動とそれに伴う表示領域の切り替え動作が一致するため、作業者の画像表示操作の作業性が一段と向上する。
【００３１】
実施の形態４
ディスプレイは大画面や高解像度になるほど画面表示作業の効率は上がるが、ＬＣＤパネルやＰＤＰは高解像になるほど高価なものになる。図８は、本発明の実施の形態４におけるマルチディスプレイ制御システムの動作を示す概念図である。つまり、図８は、解像度がＳＸＧＡ（１２８０ドット×１０２４ライン）の３面分の表示領域（つまり、第１表示領域５ａ、第２表示領域５ｂ、および第３表示領域５ｃ）に対し、解像度ＳＸＧＡのパネルのメイン表示装置１台と解像度ＸＧＡ（１０２４ドット×７６８ライン）のパネルのサブ表示装置７，８の２台で本発明のマルチディスプレイ制御システムを実現した例である。
【００３２】
サブ表示装置７，８はＳＸＧＡの表示領域をＸＧＡにダウンスケールなどの簡易表示して表示するため詳細なワープロ作業などには適さないが、参照程度の画面には十分に使用できる。マウスの移動やアクティブウィンドウの変更により、実際に作業者が操作する表示領域は自動的に詳細なメインの表示装置で表示する。
【００３３】
実施の形態４のマルチディスプレイ制御システムによれば、実際の操作画面を表示するメイン表示装置を高解像度にして、参照に使うサブ表示装置を安価な低解像度にすることにより、作業効率を落とすことなく全体のシステムを安価に構築することができる。
【００３４】
以上述べた実施の形態は本発明を説明するための一例であり、本発明は、上記の実施の形態に限定されるものではなく、発明の要旨の範囲で種々の変形が可能である。例えば、上記の各実施の形態では、３台の画像表示装置に３つの画像表示領域をそれぞれ表示させる場合について述べたが、これに限ることはなく、ｎ台の画像表示装置にｎ個の画像表示領域をそれぞれ表示させることもできる。
【００３５】
【発明の効果】
以上説明したように、本発明のマルチディスプレイ制御システムによれば、マルチディスプレイを使用して複数のアプリケーションを異なった画面で使用している場合に、従来なら使用するアプリケーションの変更に伴い作業傾城を別の画像表示装置に移動する必要があったが、本発明のマルチディスプレイ制御システムにより、常にマウスなどポインティングデバイスの示す作業領域を正面にすることができ、作業者が画像表示装置を移動することが少なくなり、画像表示の作業効率を一段と改善することができる。
【００３６】
また、本発明のマルチディスプレイ制御システムによれば、より具体的に作業中の画像表示領域を検出することができ、アクティブウィンドウが切り替わるとそのウィンドウを正面のメイン表示装置に表示させることができる。さらに、本発明のマルチディスプレイ制御システムによれば、常に正面のメイン表示装置から左側の第１サブ表示装置へマウスを移動させたときには、それまで第１サブ表示装置に表示していた第１表示領域をメイン表示装置に表示させることができ、右側の第２サブ表示装置にマウスが移動したときには、それまで第２サブ表示装置に表示していた表示領域をメイン表示装置に表示させることができる。このとき、マウスなどポインティングデバイスの移動とそれに伴う表示領域の切り替え動作が一致するため、作業者の画像表示操作の作業性が一段と向上する。
【００３７】
また、本発明のマルチディスプレイ制御システムによれば、実際の操作画面を表示するメイン表示装置を高解像度にして、参照に使うサブ表示装置を安価な低解像度にすることにより、作業効率を落とすことなく全体のシステムを安価に構築することができる。
【図面の簡単な説明】
【図１】仮想的な１枚のページの画像が複数の画像表示装置に個別に表示される状態を示す従来のマルチディスプレイシステムの動作を示す概念図である。
【図２】本発明の実施の形態１におけるマルチディスプレイ制御システムの構成を表すブロック図である。
【図３】本発明の実施の形態１におけるマルチディスプレイ制御システムの表示制御方法を示す概念図である。
【図４】本発明の実施の形態２におけるマルチディスプレイ制御システムの構成を示すブロック図である。
【図５】本発明の実施の形態１におけるマルチディスプレイ制御システムの表示制御方法を示す概念図である。
【図６】本発明の実施の形態３におけるマルチディスプレイ制御システムの仮想的なページ構成を示すリング状のページ構成図である。
【図７】本発明の実施の形態３におけるマルチディスプレイ制御システムの動作を示す概念図であり、（ａ）はマウスが第１表示領域にあるとき、（ｂ）はマウスが第２表示領域にあるとき、（ｃ）はマウスがメイン表示領域にあるときの状態を示す。
【図８】本発明の実施の形態４におけるマルチディスプレイ制御システムの動作を示す概念図である。
【図９】特開２００１−６７０５５号公報に開示されている画像表示装置において表示制御を行うマルチディスプレイ制御システムの構成図である。
【図１０】特開２０００−３５２９６２号公報に開示されたインデックス方式のマルチディスプレイシステムの構成図である。
【符号の説明】
１…ポインティングデバイス検出手段、２、２’…作業領域判断手段、３…画面制御手段、４…アクティブウインドウ検出手段、５…仮想的な１枚のページ、５ａ…第１表示領域、５ｂ…第２表示領域、５ｃ…第３表示領域、６…メイン表示装置、７，８…サブ表示装置、１０，２０…ディスプレイ装置、３０…信号線、３１…画像信号発生装置、３２…画像表示装置、３３…キーボードおよびマウス
【図１】
2004029046.tif 000003
【図２】
2004029046.tif 000004
【図３】
2004029046.tif 000005
【図４】
2004029046.tif 000006
【図５】
2004029046.tif 000007
【図６】
2004029046.tif 000008
【図７】
2004029046.tif 000009
【図８】
2004029046.tif 000010
【図９】
2004029046.tif 000011
【図１０】
2004029046.tif 000012
【手続補正書】
【提出日】平成15年8月20日(2003.8.20)
【手続補正１】
【補正対象書類名】明細書
【補正対象項目名】０００６
【補正方法】変更
【補正の内容】
【０００６】
【発明が解決しようとする課題】
ところで、最近ではウィンドウズ（登録商標）などのオペレーティングシステム（ＯＳ）がマルチディスプレイをサポートしているので、マルチディスプレイの用途はかなり広がってきている。しかしながら、前述で述べたような従来のマルチディスプレイでは、仮想的な１枚のページとして画像表示の処理を行っても、実際にアプリケーションが表示される画像は、それぞれ異なる表示装置に個別に表示されることになる。


【手続補正２】
【補正対象書類名】明細書
【補正対象項目名】００２０
【補正方法】変更
【補正の内容】
【００２０】
以上のようにして画像表示の処理を行うと、マルチディスプレイを使用して複数のアプリケーションを異なった画面で使用している場合に、従来なら使用するアプリケーションの変更に伴い作業領域を別の画像表示装置に移動する必要があったが、本発明のマルチディスプレイ制御システムにより、常にマウスなどポインティングデバイスの示す作業領域を正面にすることができ、作業者が画像表示装置を移動することが少なくなり、画像表示の作業効率を改善することができる。